(57)【要約】【課題】本発明は、簡単なシステム構成で、かつ低コストにて、リモコンによる制御とジェスチャーによる制御とが可能な遠隔制御可能機器を提供する。【解決手段】遠隔制御可能機器（表示装置１００）は、フォトダイオード１、複数のＣＭＯＳセンサー２、赤外線リモコン入力信号処理部３、ジェスチャー検出部４、およびエミュレーション部５を備えている。エミュレーション部５は、ジェスチャー検出部４から出力された信号を、リモコン１０からコマンドを受けたときに赤外線リモコン信号処理部３で生成される制御信号と等価な信号に変換する。【選択図】図２
2009218910.tif 000002
【特許請求の範囲】
【請求項１】
リモコンによる遠隔制御およびジェスチャーによる遠隔制御が可能な遠隔制御可能機器であって、
前記リモコンからの信号を受信する信号受信部と、
前記信号受信部で受信した信号を基に、前記遠隔制御可能機器を制御するための制御信号を生成する信号処理部と、
撮像部と、
前記撮像部で撮像された画像をジェスチャー信号として検出する、ジェスチャー検出部と、
前記ジェスチャー検出部から出力された信号を、前記リモコンからのコマンドを受けたときに前記信号処理部で生成される制御信号と等価な信号に変換するエミュレーション部とを、備えている、
ことを特徴とする遠隔制御可能機器。
【請求項２】
前記エミュレーション部は、
前記変換に関する複数のテーブルを、選択可能に有している、
ことを特徴とする請求項１に記載の遠隔制御可能機器。
【請求項３】
前記信号処理部からの出力信号および前記エミュレーション部からの出力信号を入力し、前記入力した信号の内、何れか一方のみを出力するセレクターを、さらに備えている、
ことを特徴とする請求項１に記載の遠隔制御可能機器。
【請求項４】
前記ジェスチャー検出部は、
前記ジェスチャー信号を検出したとき、セレクター制御信号を出力し、
前記セレクターは、
前記セレクター制御信号を受信したとき、前記エミュレーション部からの出力信号を、前記セレクターの出力信号として出力する、
ことを特徴とする請求項３に記載の遠隔制御可能機器。
【請求項５】
前記信号受信部と前記撮像部とは、
別回路構成である、
ことを特徴とする請求項１に記載の遠隔制御可能機器。
【請求項６】
前記信号受信部と前記撮像部とは、
同一の固体撮像モジュールにより構成される、
ことを特徴とする請求項１に記載の遠隔制御可能機器。
【請求項７】
前記固体撮像モジュールは、
複数のＣＭＯＳセンサーにより構成されている、
ことを特徴とする請求項６に記載の遠隔制御可能機器。
【請求項８】
前記エミュレーション部は、
複数のピンを備えており、
各ピンに対して所定の電位設定を行うことにより、一の所定の前記テーブルが選択される、
ことを特徴とする請求項２に記載の遠隔制御可能機器。
【請求項９】
ディップスイッチを、さらに備えており、
前記ディップスイッチを構成する各スイッチを所定の切り替え位置に設定することにより、一の所定の前記テーブルが選択される、
ことを特徴とする請求項２に記載の遠隔制御可能機器。
【請求項１０】
書き換え可能なメモリを、さらに備えており、
前記メモリに対して所定の書き込み処理を行うことにより、一の所定の前記テーブルが選択される、
ことを特徴とする請求項２に記載の遠隔制御可能機器。
【請求項１１】
書き換え可能なメモリを、さらに備えており、
前記メモリに対して所定の書き込み処理を行うことにより、前記テーブルを書き換えることができる、
ことを特徴とする請求項２に記載の遠隔制御可能機器。
【発明の詳細な説明】
【技術分野】
【０００１】
この発明は、遠隔制御可能機器に係る発明であり、特に、リモコンによる操作とユーザによるジェスチャーによる操作が可能な遠隔制御可能機器に関する。
【背景技術】
【０００２】
家電機器を制御するリモコンとしては、赤外線リモコンが一般的である。近年、赤外線リモコンによる家電機器の制御でなく、撮像素子と画像認識機能とにより家電機器の制御を行う方法が研究されている（たとえば、非特許文献１）。当該非特許文献１では、人のジェスチャーを認識させることで、家電機器の制御を行う。
【０００３】
また、人のジェスチャーの認識率の問題、コスト面等の問題を考慮して、赤外線リモコンおよび人のジェスチャーの両方による制御が可能（便宜上、当該技術を両制御可能技術と称する）な、家電機器も開発されている。前記両制御可能技術の場合には、たとえば、最も操作の多い機能（テレビのチャンネル切り替えなど）のみをジェスチャー制御に対応させ、その他の制御は赤外線リモコンにより行う。
【０００４】
また、上記両制御可能技術においては、赤外線リモコンの赤外光信号を撮像素子で受光する技術を要する。当該技術としては、たとえば、特許文献１ないし特許文献６が存在する。
【０００５】
【非特許文献１】http://techon.nikkeibp.co.jp/article/NEWS/20071002/140058/
【特許文献１】特開平５−３４４４０１号公報
【特許文献２】特開平６−２２１９４号公報
【特許文献３】特開２００４−２２２２４２号公報
【特許文献４】特開２００６−２３８１９３号公報
【特許文献５】特開２００６−２７９８２３号公報
【特許文献６】特開２００６−３０３８６７号公報
【発明の開示】
【発明が解決しようとする課題】
【０００６】
しかし、上記両制御可能技術においては、ジェスチャーによる制御を可能とする構成部と、赤外線リモコンによる制御を可能とする構成部とが別個独立のプラットフォームであった。したがって、赤外線リモコンによる制御が可能な既存の電化製品に、ジェスチャーによる制御が可能な機能を付与するためには、既存の電化製品に専用のシステムを構築しなければならない。つまり、既存の赤外線リモコン制御モジュールより大きな、ジェスチャー制御モジュールを別途実装しなければならない。そのため、上記両制御可能技術を構築した場合には、装置全体のシステムが複雑化し、さらにコストも増加するという問題があった。
【０００７】
そこで、本発明は、簡単なシステム構成で、かつ低コストにて、リモコンによる制御とジェスチャーによる制御とが可能な遠隔制御可能機器を提供することを目的とする。
【課題を解決するための手段】
【０００８】
上記の目的を達成するために、本発明に係る請求項１に記載の遠隔制御可能機器は、リモコンによる遠隔制御およびジェスチャーによる遠隔制御が可能な遠隔制御可能機器であって、前記リモコンからの信号を受信する信号受信部と、前記信号受信部で受信した信号を基に、前記遠隔制御可能機器を制御するための制御信号を生成する信号処理部と、撮像部と、前記撮像部で撮像された画像をジェスチャー信号として検出する、ジェスチャー検出部と、前記ジェスチャー検出部から出力された信号を、前記リモコンからのコマンドを受けたときに前記信号処理部で生成される制御信号と等価な信号に変換するエミュレーション部とを、備えている。
【０００９】
また、請求項２に記載の遠隔制御可能機器は、請求項１に記載の遠隔制御可能機器であって、前記エミュレーション部は、前記変換に関する複数のテーブルを、選択可能に有している。
【００１０】
また、請求項３に記載の遠隔制御可能機器は、請求項１に記載の遠隔制御可能機器であって、前記信号処理部からの出力信号および前記エミュレーション部からの出力信号を入力し、前記入力した信号の内、何れか一方のみを出力するセレクターを、さらに備えている。
【００１１】
また、請求項４に記載の遠隔制御可能機器は、請求項３に記載の遠隔制御可能機器であって、前記ジェスチャー検出部は、前記ジェスチャー信号を検出したとき、セレクター制御信号を出力し、前記セレクターは、前記セレクター制御信号を受信したとき、前記エミュレーション部からの出力信号を、前記セレクターの出力信号として出力する。
【００１２】
また、請求項５に記載の遠隔制御可能機器は、請求項１に記載の遠隔制御可能機器であって、前記信号受信部と前記撮像部とは、別回路構成である。
【００１３】
また、請求項６に記載の遠隔制御可能機器は、請求項１に記載の遠隔制御可能機器であって、前記信号受信部と前記撮像部とは、同一の固体撮像モジュールにより構成される。
【００１４】
また、請求項７に記載の遠隔制御可能機器は、請求項６に記載の遠隔制御可能機器であって、前記固体撮像モジュールは、複数のＣＭＯＳセンサーにより構成されている。
【００１５】
また、請求項８に記載の遠隔制御可能機器は、請求項２に記載の遠隔制御可能機器であって、前記エミュレーション部は、複数のピンを備えており、各ピンに対して所定の電位設定を行うことにより、一の所定の前記テーブルが選択される。
【００１６】
また、請求項９に記載の遠隔制御可能機器は、請求項２に記載の遠隔制御可能機器であって、ディップスイッチを、さらに備えており、前記ディップスイッチを構成する各スイッチを所定の切り替え位置に設定することにより、一の所定の前記テーブルが選択される。
【００１７】
また、請求項１０に記載の遠隔制御可能機器は、請求項２に記載の遠隔制御可能機器であって、書き換え可能なメモリを、さらに備えており、前記メモリに対して所定の書き込み処理を行うことにより、一の所定の前記テーブルが選択される。
【００１８】
また、請求項１１に記載の遠隔制御可能機器は、請求項２に記載の遠隔制御可能機器であって、書き換え可能なメモリを、さらに備えており、前記メモリに対して所定の書き込み処理を行うことにより、前記テーブルを書き換えることができる。
【発明の効果】
【００１９】
本発明の請求項１に記載の遠隔制御可能機器は、リモコンによる遠隔制御およびジェスチャーによる遠隔制御が可能な遠隔制御可能機器であって、リモコンからの信号を受信する信号受信部と、信号受信部で受信した信号を基に、遠隔制御可能機器を制御するための制御信号を生成する信号処理部と、撮像部と、撮像部で撮像された画像をジェスチャー信号として検出する、ジェスチャー検出部と、ジェスチャー検出部から出力された信号を、リモコンからのコマンドを受けたときに信号処理部で生成される制御信号と等価な信号に変換するエミュレーション部とを、備えている。
【００２０】
したがって、簡単なシステム構成で、かつ低コストにて、リモコンによる制御とジェスチャーによる制御とが可能な遠隔制御可能機器を提供できる。
【００２１】
また、請求項２に記載の遠隔制御可能機器では、エミュレーション部は、変換に関する複数のテーブルを、選択可能に有している。
【００２２】
したがって、遠隔制御可能機器がリモコンプラットフォーム上に定義されているコンフィギュレーションが異なったとしても、各コンフィギュレーションに対応できるエミュレーション部を提供することができる。
【００２３】
また、請求項３に記載の遠隔制御可能機器は、信号処理部からの出力信号およびエミュレーション部からの出力信号を入力し、入力した信号の内、何れか一方のみを出力するセレクターを、さらに備えている。
【００２４】
したがって、遠隔制御可能機器の制御部には、常に、何れか一方の出力信号を出力でき、両方の出力信号が制御部側に送信されることを防止できる。
【００２５】
また、請求項４に記載の遠隔制御可能機器では、ジェスチャー検出部は、ジェスチャー信号を検出したとき、セレクター制御信号を出力し、セレクターは、セレクター制御信号を受信したとき、エミュレーション部からの出力信号を、セレクターの出力信号として出力する。
【００２６】
したがって、簡単な回路構成により、ジェスチャー検出部がジェスチャー信号を検出したときはエミュレーション部からの出力信号をセレクターの出力信号として自動的に出力でき、そうでないときは信号処理部からの出力信号をセレクターの出力信号として自動的に出力することができる。
【００２７】
また、請求項５に記載の遠隔制御可能機器では、信号受信部と撮像部とは、別回路構成である。
【００２８】
したがって、リモコンの信号のみを受光できるようにするために、信号受信部の前面に、所定の透過フィルタ（カットフィルタ）を装着することが可能となる。これにより、信号受信部に不要な電磁波ノイズが入力されることを防止できる。
【００２９】
また、請求項６に記載の遠隔制御可能機器では、信号受信部と撮像部とは、同一の固体撮像モジュールにより構成される。
【００３０】
したがって、外部信号入力モジュールの面積を削減できると共に、信号受信系も少なくなるので、コスト削減も図ることができる。
【００３１】
また、請求項７に記載の遠隔制御可能機器では、固体撮像モジュールは、複数のＣＭＯＳセンサーにより構成されている。
【００３２】
したがって、実用性に優れた固体撮像モジュールを提供することができる。
【００３３】
また、請求項８〜１０に記載の遠隔制御可能機器は、エミュレーション部が備える複数のピンに対して所定の電位設定を行うことにより、一の所定のテーブルが選択される。また、ディップスイッチを構成する各スイッチを所定の切り替え位置に設定することにより、一の所定のテーブルが選択される。また、書き換え可能なメモリに対して所定の書き込み処理を行うことにより、一の所定のテーブルが選択される。
【００３４】
したがって、簡単な処理により、エミュレーション部に格納されている複数のテーブルの中から、所望のテーブルを選択できる。
【００３５】
また、請求項１１に記載の遠隔制御可能機器は、書き換え可能なメモリに対して所定の書き込み処理を行うことにより、テーブルを書き換えることができる。
【００３６】
したがって、ユーザは、いつでもまた簡易な処理により、所望のテーブルをエミュレーション部に設定することができる。
【発明を実施するための最良の形態】
【００３７】
以下、この発明をその実施の形態を示す図面に基づいて具体的に説明する。
【００３８】
＜実施の形態＞
図１に、本実施の形態に係る遠隔制御可能機器の一例である、表示装置１００を示す。
【００３９】
表示装置１００は、赤外線リモコン１０の制御による遠隔制御、および人のジェスチャーによる遠隔制御が可能である。表示装置１００は、外部信号入力モジュール２０および表示部３０を備えている。
【００４０】
赤外線リモコン１０は、たとえば既存の赤外線リモコンと同様に、当該リモコン１０からの制御信号を、４０ＫＨｚのキャリア周波数に変調して送信する。外部信号入力モジュール２０は、赤外線リモコン１０からの信号を受信する部分であると共に、ジェスチャーを撮像する部分でもある。表示部３０には、所定のチャンネルに応じた放送番組等の画像を表示することができる。
【００４１】
図２は、外部信号入力モジュール２０の内部構成を示す図である。
【００４２】
図２に示すように、外部信号入力モジュール２０は、光電変換素子（信号受信部と把握できる）１、複数のＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー（撮像部と把握できる）２、赤外線リモコン入力信号処理部（以下単に、信号処理部と称する）３、ジェスチャー検出部４、エミュレーション部５、およびセレクター６により構成されている。符号２は、複数のＣＭＯＳセンサーがアレイ状に配設されることにより構成される。以下では、当該アレイ状に配設されたセンサーを、単にＣＭＯＳセンサー２と称する。
【００４３】
なお、図２において、点線部は、回路（チップ）を示す。したがって、図２の例では、フォトダイオード１とＣＭＯＳセンサー２とは、別回路構成である。また、ＣＭＯＳセンサー２、信号処理部３、ジェスチャー検出部４、エミュレーション部５、およびセレクター６は、同一回路構成である（つまり、これらの部分２〜６は、同一チップ内に形成されている）。
【００４４】
光電変換素子１は、光を電気エネルギーに変換する素子であり、たとえば埋め込みフォトダイオード等が存在する。なお、以下では、光電変換素子１をフォトダイオード１として話を進める。当該フォトダイオード１は、赤外線リモコン１０からの赤外線信号を受信する。
【００４５】
ＣＭＯＳセンサー２は、外部環境を撮像（より具体的に、人のジェスチャーを検出）することができる。ＣＭＯＳセンサー２は、マトリクス状に配列された複数の固体撮像セル（ＣＭＯＳ素子）により構成されている。
【００４６】
信号処理部３は、フォトダイオード１で受信した赤外線信号を基に、表示装置１００を制御するための制御信号を生成する。具体的には、信号処理部３は、フォトダイオード１から出力された光電変換後の電気信号を受信する。そして、信号処理部３は、当該電気信号から前記制御信号を生成し、出力する。
【００４７】
ジェスチャー検出部４は、ＣＭＯＳセンサー２で撮像された画像信号をジェスチャー信号として検出する。具体的に、ジェスチャー検出部４は、ＣＭＯＳセンサー２からの信号を処理し、定められたジェスチャーが検出された場合、当該検出されたジェスチャーに応じて所定のジェスチャー信号を生成し、出力する。
【００４８】
エミュレーション部５は、ジェスチャー検出部４から出力された信号を、リモコン１０からの赤外線信号（コマンド）を受けたときに信号処理部３で生成される制御信号と等価な信号に変換する。
【００４９】
つまり、信号処理部３では、たとえば、リモコン１０からの入力信号Ａに従って、表示装置１００の制御が可能な制御信号Ｃ１を生成し、出力するとする。また、信号処理部３では、リモコン１０からの入力信号Ｂに従って、表示装置１００の制御が可能な制御信号Ｃ２を生成し、出力するとする。
【００５０】
一方、エミュレーション部５では、図３に簡単に例示するようなテーブルを有している。したがって、ジェスチャー信号Ｊ１が入力されると、リモコン１０からのコマンドを受けたときに信号処理部３で出力される信号と等価な信号として、エミュレーション部５は、制御信号Ｃ２を出力する。また、ジェスチャー信号Ｊ２が入力されると、リモコン１０からのコマンドを受けたときに信号処理部３で出力される信号と等価な信号として、エミュレーション部５は、制御信号Ｃ１を出力する。
【００５１】
このように、エミュレーション部５は、ジェスチャー検出部４から出力されるジェスチャー信号Ｊ１，Ｊ２の種類に応じて、リモコン１０からのコマンドを受けたときに信号処理部３が出力する制御信号Ｃ１，Ｃ２と同じ形式の制御信号Ｃ１，Ｃ２を生成し、出力する。
【００５２】
セレクター６には、信号処理部３からの出力信号およびエミュレーション部５からの出力信号が入力される。そして、セレクター６は、ジェスチャー検出部４から出力される信号に基づいて、入力される二つの信号の内、何れか一方のみを出力信号Ｖｏｕｔとして出力する。
【００５３】
具体的に、ジェスチャー検出部４は、ＣＭＯＳセンサー２からの信号を処理し、定められたジェスチャーが検出したとする。このとき、ジェスチャー検出部４は、所定のジェスチャー信号を生成・出力すると共に、他の出力部からセレクター制御信号を出力する。当該セレクター制御信号をセレクター６が受信する。すると、セレクター６は、信号処理部３から出力された制御信号を当該セレクター６の出力部から出力している状態から、エミュレーション部５から出力された制御信号を当該セレクター６の出力部から出力している状態へと切り替える。
【００５４】
赤外線リモコン対応の既存の表示装置では、リモコン１０からのコマンドを受けたときに信号処理部３からの制御信号Ｃ１，Ｃ２は認識でき、当該制御信号Ｃ１，Ｃ２に基づいた制御が実施される。しかし、当該既存の表示装置では、ジェスチャー検出部３から出力されるジェスチャー信号Ｊ１，Ｊ２は、当然認識できない。
【００５５】
そこで、本実施の形態に係る遠隔制御可能機器は、ジェスチャー検出部４から出力された信号を、リモコン１０からのコマンドを受けたときに信号処理部３で生成される制御信号と等価な信号に変換するエミュレーション部５を、備えている。
【００５６】
したがって、ジェスチャー信号Ｊ１，Ｊ２を当該既存の表示で認識できる制御信号Ｃ１，Ｃ２へと変換できる。よって、当該エミュレーション部５を配設するだけで、上記両制御可能技術を有する表示装置１００を構築できる。つまり、上記両制御可能技術を既存の表示装置に適用する場合に、ジェスチャーによる制御を可能とする構成部と、赤外線リモコン１０による制御を可能とする構成部とを、別個独立のプラットフォームを意識する必要がなくなる。
【００５７】
たとえば、既存の赤外線制御モジュールに、ＣＭＯＳセンサー２とエミュレーション部５とを配設するのみで、既存の表示装置を上記両制御可能技術を有する表示装置１００とすることができる。よって、簡単なシステム構成で、かつ低コストにて、赤外線リモコン１０による制御とジェスチャーによる制御とが可能な表示装置１００を提供できる。
【００５８】
なお、表示装置１００を製造するメーカが異なると、赤外線リモコンプラットフォーム上に定義されているコンフィギュレーションが異なる。
【００５９】
そこで、本実施の形態に係る遠隔制御可能機器では、各前記コンフィギュレーションに対応できるように、エミュレーション部５は、上記変換に関する複数のテーブルを選択可能に有している。
【００６０】
たとえば、メーカＴが製造した表示装置１００に対しては、テーブルｔ１を選択した状態のエミュレーション部５を表示装置１００に配設する。また、メーカＷが製造した表示装置１００に対しては、テーブルｔ２を選択した状態のエミュレーション部５を表示装置１００に配設する。
【００６１】
これにより、表示装置１００の製造メーカが異なり、赤外線リモコンプラットフォーム上に定義されているコンフィギュレーションが異なったとしても、各コンフィギュレーションに対応できるエミュレーション部５を提供することができる。
【００６２】
たとえば、エミュレーション部５には複数のピンが配設されている。そして、これらのピンの電位設定を選択する。これにより、ユーザは、エミュレーション部５に格納されている複数のテーブルの中から、所望のテーブルを選択（設定）することができる。当該テーブルの選択方法を採用する場合には、エミュレーション部５を外部信号入力モジュール２０に配設するときに、所望のテーブルが選択（設定）される。
【００６３】
また、エミュレーション部５の前段にディップスイッチ（Ｄｕａｌ  Ｉｎ−ｌｉｎｅ  Ｐａｃｋａｇｅ  Ｓｗｉｔｃｈ）が配設されていても良い。この場合には、ディップスイッチを所望に設定することにより、ディップスイッチから電気信号が出力される。エミューション部５の入力部Ｉ１は当該電気信号を入力し、これにより、エミュレーション部５において、所望のテーブルが選択（設定）される。
【００６４】
また、エミュレーション部５の前段に、書き換え可能なメモリとして、フラッシュメモリ（たとえば、ＥＥＰＲＯＭ：Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）が配設されていても良い。たとえば、出荷テスト時等に、当該フラッシュメモリに対して所望の書き込み処理行う。これにより、エミュレーション部５において、所望のテーブルが選択（設定）される。または、当該フラッシュメモリに対して所望の書き込み処理行う。これにより、エミュレーション部５において、所望のテーブルそのものが書き換えられる。
【００６５】
これらの、テーブル選択（決定）構成を採用することにより、簡単な処理により、エミュレーション部５に格納されている複数のテーブルの中から、所望のテーブルを選択（決定）できる。
【００６６】
また、本実施の形態に係る遠隔制御可能機器では、信号処理部３からの出力信号およびエミュレーション部５からの出力信号を入力し、当該入力した信号の内、何れか一方のみを出力するセレクター６を備えている。
【００６７】
したがって、表示装置１００の制御部（図示せず）には、常に、何れか一方の出力信号を出力でき、両方の出力信号が制御部側に送信されることを防止できる。
【００６８】
本実施の形態に係る遠隔制御可能機器では、ジェスチャー検出部４は、ジェスチャー信号を検出したとき、セレクター制御信号を出力する。そして、セレクター６は、セレクター制御信号を受信したとき、エミュレーション部からの出力信号を、セレクター６の出力信号として出力する。
【００６９】
これにより、簡単な回路構成により、ジェスチャー検出部４がジェスチャー信号を検出したときはエミュレーション部からの出力信号をセレクター６の出力信号として出力し、そうでないときは信号処理部３からの出力信号をセレクター６の出力信号として出力することができる。
【００７０】
また、本実施の形態では、図２に示したように、フォトダイオード１とＣＭＯＳセンサー２とを、別回路（チップ）構成としている。
【００７１】
これにより、赤外線リモコン１０からの信号のみを受光できるようにするために、フォトトダイオード１の前面に、赤外線透過フィルタ（可視光線カットのフィルタ）を装着することが可能となる。これにより、フォトダイオード１側において、可視光からのノイズを除去できる。
【００７２】
また、図４に示すように、固体撮像モジュール９に、撮像部としての機能と、赤外線リモコン１０からの信号受信部としての機能とを、持たせても良い。なお、図４の点線はチップ領域を示している。当該固体撮像モジュール９は、複数の固体撮像セルにより構成される。
【００７３】
たとえば、各固体撮像セルは、フォトダイオードと、撮像素子構成回路部と、選択ゲート（スイッチ部）Ｇ１５を備えている。撮像素子構成回路部は、フォトダイオードと共に固体撮像素子を構成している。したがって、各固体撮像セルは、固体撮像素子と選択ゲートにより構成されていると把握できる。よって、固体撮像モジュール９は、複数の固体撮像素子により構成される。
【００７４】
さらに、撮像素子構成回路部は、フォトダイオードの一方の出力部とジェスチャー信号伝送ライン（第一の信号線）との間に配設されている。選択ゲートは、フォトダイオードの出力部から出力される電荷を、ジェスチャー信号伝送ライン側に出力するか、フォトダイオードの他方の出力部と接続される赤外線信号伝送ライン側に出力するかの切り替えを行うことができる。
【００７５】
ここで、上記固体撮像素子として、ＣＣＤ（Ｃｈａｒｇｅ  Ｃｏｕｐｌｅｄ  Ｄｅｖｉｃｅ  Ｉｍａｇｅ  Ｓｅｎｓｏｒ）センサー等も存在する。しかしながら、上記固体撮像素子としては、ＣＭＯＳセンサーが実用性の面でより適している。この場合、固体撮像モジュール９は、複数のＣＭＯＳセンサーにより構成される。
【００７６】
このように、図４に示す構成を採用することにより、外部信号入力モジュール２０の面積を削減できると共に、光学系も図２の構成と比較して少なくなるので、コスト削減も図ることができる。
【００７７】
なお、上記では、遠隔制御可能機器が表示装置１００である場合に言及したが、これに限らず、遠隔制御可能機器は、その他の家電製品に適用できる。
【図面の簡単な説明】
【００７８】
【図１】本発明に係る遠隔制御可能機器（表示装置）を示す図である。
【図２】外部信号入力モジュールの内部構成を示す図である。
【図３】エミュレーション部が有するテーブルの簡単な例を示す図である。
【図４】外部信号入力モジュールの内部構成を示す図である。
【符号の説明】
【００７９】
１  フォトダイオード（信号受信部）
２  ＣＭＯＳセンサー部（撮像部）
３  赤外線リモコン入力信号処理部（信号処理部）
４  ジェスチャー検出部
５  エミュレーション部
６  セレクター
９  固体撮像モジュール
１０  赤外線リモコン
２０  外部信号入力モジュール
３０  表示部
【図１】
2009218910.tif 000003
【図２】
2009218910.tif 000004
【図３】
2009218910.tif 000005
【図４】
2009218910.tif 000006